(57)【要約】【課題】情報入力機能を併せ持つものであって、携帯しやすく充電可能な印刷装置を提供する。【解決手段】記録紙に印刷をする印刷機能部と、充電池を有する電源部と、前記充電池に充電するための充電部と、情報入力するための情報を入力するための情報入力部と、を有し、一方の端から他方の端に向かって、前記印刷機能部、前記情報入力部、前記電源部、前記充電部の順に設けられていることを特徴とする印刷装置を提供することにより上記課題を解決する。【選択図】  図１
2019130907.tif 000002
【特許請求の範囲】
【請求項１】
記録紙に印刷をする印刷機能部と、
充電池を有する電源部と、
前記充電池に充電するための充電部と、
情報を入力するための情報入力部と、
を有し、
一方の端から他方の端に向かって、前記印刷機能部、前記情報入力部、前記電源部、前記充電部の順に設けられていることを特徴とする印刷装置。
【請求項２】
記録紙に印刷をする印刷機能部と、
充電池を有する電源部と、
前記充電池に充電するための充電部と、
を有し、
前記充電池が充電されている場合には、前記印刷機能部の制御部により、前記印刷機能部には前記充電池の電力が供給されないことを特徴とする印刷装置。
【請求項３】
前記電源部に充電内部配線を有し、
前記充電部は充電内部配線およびダイオードを介して前記充電池に接続されることを特徴とする請求項１または２に記載の印刷装置。
【請求項４】
前記充電部の充電状態を検出する検出回路を有し、
前記検出回路は前記充電内部配線に接続され、
前記検出回路から出力された信号により前記印刷機能部を制御することを特徴とする請求項３に記載の印刷装置。
【請求項５】
記録紙に印刷をする印刷機能部と、
充電池を有する電源部と、
前記充電池に充電するための充電回路と、
前記充電回路に接続されている第１のスイッチ回路と、
前記充電池に接続されている第２のスイッチ回路と、
を有し、
前記第１のスイッチ回路及び前記第２のスイッチ回路を閉じることにより、前記充電池の電力が前記印刷機能部に供給され、
前記第１のスイッチ回路及び前記第２のスイッチ回路を開くことにより、前記充電池が充電され、前記印刷機能部には前記充電池の電力が供給されないことを特徴とする印刷装置。
【請求項６】
前記第２のスイッチ回路と並列に接続されたダイオードを有し、
前記ダイオード及び前記第２のスイッチ回路は、前記充電池に接続されており、
前記充電池の電力が印刷機能部に供給されている場合には、前記ダイオードには逆方向の電圧が印加されるとともに、前記第２のスイッチ回路は閉じた状態となり、
前記充電池が充電されている場合には、前記ダイオードに順方向に電流が流れ、前記ダイオードを流れた電流により前記充電池が充電されるとともに、前記第２のスイッチ回路が開いた状態となり前記印刷機能部には前記充電池の電力が供給されないことを特徴とする請求項５に記載の印刷装置。
【発明の詳細な説明】
【技術分野】
【０００１】
本発明は、印刷装置に関する。
【背景技術】
【０００２】
従来の携帯型プリンタは箱形に形成されており、バッグ等に入れられて持ち運ばれていた。携帯の利便性から小型なプリンタが求められており、様々な構造のプリンタが開示されている。
【先行技術文献】
【特許文献】
【０００３】
【特許文献１】特表２００３−５００２４５号公報
【特許文献２】特開平７−２２２２２３号公報
【発明の概要】
【発明が解決しようとする課題】
【０００４】
プリンタには内蔵されている充電池に充電するための接続端子や充電回路が設けられている。充電回路は比較的大きく、充電回路をプリンタとして機能する部分と充電池との間に設けた場合、中央部に充電器を接続するためのコネクタを必要とする為、大きな開口部が出来ることから、強度確保の為、肉盛りする必要があり、また、コネクタのサイズが他の部品に比して大きいことからコネクタ用のスペースを要したりしてプリンタが大型化したり、中央部分で膨らみが生じてしまう。
【０００５】
よって、携帯型の印刷装置において、携帯しやすく充電可能なものが求められている。
【課題を解決するための手段】
【０００６】
本実施の形態の一観点によれば、記録紙に印刷をする印刷機能部と、充電池を有する電源部と、前記充電池に充電するための充電部と、情報入力するための情報を入力するための情報入力部と、を有し、一方の端から他方の端に向かって、前記印刷機能部、前記情報入力部、前記電源部、前記充電部の順に設けられていることを特徴とする。
【発明の効果】
【０００７】
開示の印刷装置によれば、携帯しやすく充電可能な携帯型の印刷装置を提供することができる。
【図面の簡単な説明】
【０００８】
【図１】携帯型のプリンタの構成の説明図
【図２】第１の実施の形態のプリンタの斜視図
【図３】第１の実施の形態のプリンタの正面図
【図４】第１の実施の形態のプリンタの断面図
【図５】第１の実施の形態のプリンタのノックダイヤル部の斜視図
【図６】第１の実施の形態のプリンタのノックダイヤル部の構造の説明図（１）
【図７】第１の実施の形態のプリンタのノックダイヤル部の構造の説明図（２）
【図８】第１の実施の形態のプリンタのノックダイヤル部の構造の説明図（３）
【図９】第１の実施の形態のプリンタのエンコーダホイールの説明図
【図１０】第１の実施の形態のプリンタの電源部及び充電部の内部構造図
【図１１】第１の実施の形態のプリンタの充電部の説明図（１）
【図１２】第１の実施の形態のプリンタの充電部の説明図（２）
【図１３】第１の実施の形態のプリンタの電源部の説明図（１）
【図１４】第１の実施の形態のプリンタの電源部の説明図（２）
【図１５】第１の実施の形態のプリンタの電気回路のブロック図
【図１６】第１の実施の形態のプリンタの電源をオンする操作を説明するフローチャート
【図１７】第１の実施の形態のプリンタの電気回路の説明図（１）
【図１８】第１の実施の形態のプリンタの電気回路の説明図（２）
【図１９】第２の実施の形態のプリンタの電気回路のブロック図
【図２０】第２の実施の形態のプリンタの電気回路の説明図（１）
【図２１】第２の実施の形態のプリンタの電気回路の説明図（２）
【図２２】第２の実施の形態のプリンタの電気回路の説明図（３）
【図２３】第３の実施の形態のプリンタの電気回路のブロック図
【図２４】第３の実施の形態のプリンタの斜視図
【図２５】第３の実施の形態のプリンタの電気回路の説明図（１）
【図２６】第３の実施の形態のプリンタの電気回路の説明図（２）
【図２７】第３の実施の形態のプリンタの電気回路の説明図（３）
【発明を実施するための形態】
【０００９】
本発明を実施するための形態について、以下に説明する。尚、同じ部材等については、同一の符号を付して説明を省略する。以下、Ｘ１−Ｘ２方向、Ｙ１−Ｙ２方向、Ｚ１−Ｚ２方向を相互に直交する方向とする。また、Ｘ１−Ｘ２方向及びＹ１−Ｙ２方向を含む面をＸＹ面と記載し、Ｙ１−Ｙ２方向及びＺ１−Ｚ２方向を含む面をＹＺ面と記載し、Ｚ１−Ｚ２方向及びＸ１−Ｘ２方向を含む面をＺＸ面と記載する。
【００１０】
携帯型のプリンタは、プリンタとして機能する印刷機能部１０、充電池を有する電源部８０、充電池に充電するための充電回路を有する充電部９０、充電池の電圧をロジック電圧に変換するＤＣ−ＤＣコンバータ７４を有しており、これらの配置について考える。
【００１１】
プリンタをペン型に形成する場合、図１（ａ）に示すように、プリンタの一方の端部に電源部８０を設け、他方の端部に向かって、電源部８０、充電部９０、ＤＣ−ＤＣコンバータ７４、印刷機能部１０の順に配置する方法が考えられる。印刷機能部１０を構成する要素のうち、バッテリ電圧で動作する要素には電源部８０からバッテリ電圧が供給され、ロジック電圧で動作する制御機能部を駆動、制御する要素にはＤＣ−ＤＣコンバータ７４からロジック電圧が供給される。尚、従来は充電部９０の充電を開始すると、充電電流を他の回路機能部が消費し、充電電流を低下させるので、充電が不完全となるような障害を避ける目的で印刷機能部１０におけるロジック電圧の供給が停止する方式が一般的であった。
【００１２】
図１（ａ）の場合プリンタの中央部分に充電部９０が配置されるが、充電部９０は比較的大きく、後述するようにプリンタの機能選択などの操作をするためのダイヤルなどをこの部分に配置しようとした場合、充電部９０等とダイヤルなどとが干渉し、プリンタの中央部分が大きくなり、プリンタが全体的に大きくなったり、またはプリンタの中央部分が太く膨らむ形状となり、持ち運びの利便性が低くなる。更に、電池電圧を変更するには、印刷機能部との連結部の新規設計が必要となる。
【００１３】
充電部９０には充電用のＵＳＢコネクタ２９６等を有するが、ＵＳＢコネクタ２９６は他の部品に比べて大型であり、更に、プラグは厚く、プラグの装着を目的として周囲にスペースが必要になること、また、ＵＳＢコネクタ２９６の開口部が装置の中心部に設けられることによる強度低下をカバーするため、厚くしたり大径にして強度確保をする必要がある。また、この部分に実装するダイヤルのノックスイッチ２４３もまた大きなスペースを必要とし、充電コネクタ部とこれらの機能部品とを完全に分離する必要性から、大きなスペースを必要とする。
【００１４】
一方、本実施の形態のプリンタは、図１（ｂ）に示すようにプリンタの一方の端部に充電部９０を設け、他方の端部に向かって、充電部９０、電源部８０、ＤＣ−ＤＣコンバータ７４、印刷機能部１０の順に配置する構造のものである。この場合には、中央部分の電源部８０と印刷機能部１０との間にノックダイヤルを省スペースで配置することが可能となるため、プリンタの中央部分が膨らむことはなく、また、プリンタが大型化することもない。尚、ノックダイヤル部２０２は、ロジック用ＤＣ／ＤＣコンバータの入力制御リニア信号とリニア信号検出回路のため、電池電圧が変動しても、変更は不要である。また、充電部９０を他端に設けることにより、充電部９０を電池電圧に合わせて変更することが容易となり、電池容量、サイズに合わせて電源部８０と充電部９０を対応させるのみでよい。即ち、充電部９０を端部に設けることにより、設計変更などが容易となり、電池電圧を変更する場合の新規設計の負担が軽くなる。本実施の形態は、このような検討の結果に基づきなされたものである。
【００１５】
（印刷装置）
本実施の形態による印刷装置について説明する。本実施の形態による印刷装置は、情報通信装置から受信した情報を記録紙に印刷するものである。
【００１６】
本実施の形態による印刷装置であるプリンタ２００について、図２から図４に基づき説明する。図２はプリンタ２００の斜視図であり、図３はプリンタの正面図であり、図４はプリンタの部分断面図である。プリンタ２００は外観が円柱状に形成されており、プリンタ機能と無線による通信機能とを有しているＩｏＴ（Internet of Things）デバイスである。
【００１７】
プリンタ２００は、印刷機能部２１０、ノックダイヤル部２０２、電源部２８０、充電部２９０を有しており、Ｘ１側からＸ２側に向かって、充電部２９０、電源部２８０、ノックダイヤル部２０２、印刷機能部２１０の順に設けられている。電源部２８０は、印刷機能部２１０と充電部２９０との間に設けられている。
【００１８】
図４等に示されるように、印刷機能部２１０は、サーマルヘッド等の印刷ヘッド２１１、プラテンローラ２１２、給紙ローラ２１３、記録紙ガイド２１４、加圧バネ（不図示）、制御基板２１６、内蓋２５０、外蓋２６０を有している。印刷ヘッド２１１は加圧バネ（不図示）によりプラテンローラ２１２に押されている。記録紙は、給紙ローラ２１３が設けられている側から記録紙ガイド２１４に沿ってプリンタ２００に入り、印刷ヘッド２１１とプラテンローラ２１２との間で挟まれた状態で搬送されながら印刷されて排紙される。制御基板２１６には、プリンタ２００の制御を行う電子回路や電子部品が搭載されている。
【００１９】
内蓋２５０及び外蓋２６０は円筒状であり、外蓋２６０の内側に内蓋２５０が入るように形成されている。内蓋２５０には、その母線に沿って開口している給紙口２５１及び排紙口２５２が設けられており、外蓋２６０にはその母線に沿って開口している給紙口２６１及び排紙口２６２が設けられている。外蓋２６０は内蓋２５０に対し回転可能である。プリンタ２００により印刷を行う際には、内蓋２５０の給紙口２５１と外蓋２６０の給紙口２６１の位置が一致して開いており、内蓋２５０の排紙口２５２と外蓋２６０の排紙口２６２の位置が一致して開いている。このように開いている給紙口２５１及び給紙口２６１より記録紙がプリンタ２００に入り、排紙口２５２及び排紙口２６２より排紙される。
【００２０】
プリンタ２００は、給紙口２５１、２６１が開放している状態で記録紙が収納される不図示のカセットを給紙口２６１に接続できる。プリンタ２００で印刷を行う際には、印刷データが情報通信装置よりプリンタ２００にＢＬＥ（Bluetooth Low Energy）等の無線通信により送信される。プリンタ２００は印刷データを受信し、記録紙に印刷が行われる。
【００２１】
電源部２８０には、筐体内部に充電池としてリチウムイオン電池が入れられており、充電池より供給される電力によりプリンタ２００を駆動することができる。プリンタ２００のＸ２側にはフック２０１が設けられており、印刷機能部２１０と電源部２８０との間にノックダイヤル部２０２が設けられている。ノックダイヤル部２０２は、印刷機能部２１０への電源供給を切り替える機能を有する。
【００２２】
プリンタ２００は、直径が約１８ｍｍ、長さは約１６５〜１７０ｍｍと小型であり、ストレスを伴うことなく持ち運びができる。フック２０１により、ペンと同様に衣服の胸のポケット等にさした状態で持ち運ぶことが可能である。
【００２３】
（操作機能部）
次に、プリンタ２００の操作機能について説明する。図２に示されるように、プリンタ２００にはノックダイヤル部２０２が設けられている。ノックダイヤル部２０２は情報入力部として機能する。
【００２４】
図５はノックダイヤル部２０２の内側の斜視図であり、図６はＸ２側から見たノックダイヤル部２０２の透過図であり、図７はノックダイヤル部２０２をＸ１側から見た透過図であり、図８はノックダイヤル部２０２をＺ１側から見た透過図である。
【００２５】
ノックダイヤル部２０２は、図５から図８に示されるように、ダイヤルノブ２２０、エンコーダホイール２３０、第１のフォトセンサ２４１、第２のフォトセンサ２４２、ノックスイッチ２４３を有している。
【００２６】
（ノックダイヤル部）
ダイヤルノブ２２０は円筒状に形成され、内側には歯車２２１が設けられており、ノックダイヤルベース２５５の外側に設置されている。エンコーダホイール２３０は、ダイヤルノブ２２０の内側に回転軸２３１を中心に回転可能な状態で基板２０４に取り付けられており、周囲には歯車２３２が設けられている。ノックダイヤルベース２５５のエンコーダホイール２３０が設置される領域には開口２５３ａが設けられており、ダイヤルノブ２２０の歯車２２１とエンコーダホイール２３０の歯車２３２とが開口２５３ａで噛み合っている。
【００２７】
本実施の形態で、ダイヤルノブ２２０を回転させることにより、歯車２２１と噛み合っている歯車２３２を有するエンコーダホイール２３０が回転軸２３１を中心に回転する。
【００２８】
エンコーダホイール２３０は光を反射するように白色の材料により形成されており、第１のフォトセンサ２４１及び第２のフォトセンサ２４２が設けられている側の側面には図９に示されるように部分的に光を反射しない黒色の非反射部２３３が設けられている。非反射部２３３は回転軸２３１を中心とした半円状に形成されており、非反射部２３３が形成されていない部分は光を反射する反射部となる。尚、非反射部２３３と反射部とは互いの反射率が異なればよく、例えば反射部よりも光の反射率が低ければ黒色でなくてもよい。
【００２９】
第１のフォトセンサ２４１及び第２のフォトセンサ２４２は、ともに反射型の光学式センサであり、発光部と受光部とを有している。第１のフォトセンサ２４１と第２のフォトセンサ２４２は、エンコーダホイール２３０の側面の異なる位置で反射光を検出するように配置されている。回転軸２３１を基準として、第１のフォトセンサ２４１と第２のフォトセンサ２４２のなす角度が、例えば１３５°となるように、第１のフォトセンサ２４１及び第２のフォトセンサ２４２は基板２０４に取り付けられている。
【００３０】
本実施の形態によるプリンタ２００では、ダイヤルノブ２２０を回転させることにより情報入力が可能である。具体的には、ダイヤルノブ２２０を回転させることによるエンコーダホイール２３０の回転を第１のフォトセンサ２４１及び第２のフォトセンサ２４２を用いて検出することにより、ダイヤルノブ２２０の回転方向などを判断することができる。
【００３１】
プリンタ２００では、図７に示されるＸ１側から見てダイヤルノブ２２０を右回転させた場合にはエンコーダホイール２３０も右回転する。図７に示されるＸ１側から見てダイヤルノブ２２０を左回転させた場合には、エンコーダホイール２３０も左回転する。本実施の形態では、第１のフォトセンサ２４１及び第２のフォトセンサ２４２によりエンコーダホイール２３０の回転及び回転方向を検出することにより、ダイヤルノブ２２０の回転及び回転方向を検出することができる。図中のダイヤルノブ２２０、エンコーダホイール２３０は歯車で形成しているが、Ｏリングに替えてもよい。
【００３２】
（電源部、充電部）
次に、本実施の形態による電源部２８０及び充電部２９０について、図１０から図１４に基づき説明する。図１１及び図１２は電源部２８０の陰極側及び充電部２９０の斜視図であり、図１３及び図１４は電源部２８０の陽極側の斜視図である。
【００３３】
電源部２８０は、ケース２８１と、ケース２８１の内部に入れられるリチウムイオン電池等の充電池２８２を有している。ケース２８１内部のＸ１側の端には陰極用のコイルバネ２８３が、Ｘ２側の端には陽極端子２８４が設けられており、充電池２８２はコイルバネ２８３と陽極端子２８４との間に挟まれている。充電池２８２の陰極はコイルバネ２８３と接触しており、充電池２８２の陽極は陽極端子２８４と接触している。尚、ダイヤルノブ２２０、エンコーダホイール２３０が取り付けられている基板２０４は、充電池２８２の陽極側に設けられている。また、ケース２８１の内部には、Ｘ１側からＸ２側に延びる充電内部配線２８５が設けられている。
【００３４】
充電部２９０は、プリンタのＸ１側の端部に設けられている。充電部２９０は、外側を覆うキャップ２９１及びＵＳＢコネクタ２９６を塞ぐキャップ２９２を有しており、充電部のベース２９３とキャップ２９１とは固定用の金具２９４をはさんで固定されている。尚、コイルバネ２８３は、ベース２９３の充電池２８２側に固定されている。
【００３５】
ベース２９３には、ベース２９３よりも外側に延びる充電回路の基板２９５が設けられている。基板２９５の一方の面にはＵＳＢコネクタ２９６が設けられており、他方の面にはＩＣ（Integrated Circuit）等により形成された充電回路２９７が設けられている。キャップ２９２はＵＳＢコネクタ２９６の挿入口の手前に設けられており、キャップ２９２を取り外すことによりＵＳＢコネクタ２９６の挿入口が露出し、充電のためのＵＳＢ接続端子を接続することができるように形成されている。
【００３６】
また、コイルバネ２８３と、基板２９５に設けられた陰極配線を接続する接続バネ２８２ａが設けられており、基板２９５に設けられたランドパターンと接続される。また、基板２９５の信号と内部配線信号を接続する内部配線用の電極バネ２８５ａと、電極バネ２８５ａと充電内部配線２８５とを接続する接続部２８５ｂが設けられている。
【００３７】
電源部２８０の陽極側では、ネジによりノックダイヤルベース２５５にケース２８１を固定するためのネジ穴２８６が設けられている。また、基板２０４よりもＸ２側には、陽極端子２８４の基板側の端部２８４ａ、電池ケース基板側の端部２８１ａ、内部配線基板側の端部２８５ｄが設けられており、印刷機能部２１０の不図示の配線と接続されている。充電内部配線２８５は、接続バネ２８５ｃにより端部２８５ｄと接続されている。一方、充電池２８２の陰極部から接続バネ２８２ａを介し、金具２９４と接続するバネ２９８が設けられ、金具２９４がケース２８１にねじ上に止められることで、端部２８１ａを介して基板２０４に接続される。
【００３８】
（機能ブロック）
次に、プリンタ２００の機能ブロックを、図１５に基づき説明する。電源部２８０には充電池２８２が入れられており、充電部２９０には、ＵＳＢコネクタ２９６、充電回路２９７、インジケータ２７７が設けられている。また、印刷機能部２１０には、プリンタ２００の全体を駆動する不図示のドライバ回路、制御部となるＣＰＵ（Central Processing Unit）２７５が設けられている。ノックダイヤル部２０２には、第１のフォトセンサ２４１、第２のフォトセンサ２４２、ノックスイッチ２４３、第１のゲート回路２７１、第２のゲート回路２７２、論理和回路２７３、ＤＣ−ＤＣコンバータ２７４、検出回路２７６、ダイオード３０１が設けられている。
【００３９】
プリンタ２００は、不図示の情報通信装置との間で無線による情報通信を行うことができる。情報通信装置とプリンタ２００との通信手段は、例えばＢＬＥである。
【００４０】
図１５に基づきブロックの機能と接続信号について説明する。
【００４１】
ＵＳＢコネクタ２９６には、外部より充電器が接続される。この際、次段の充電回路２９７に対し、高圧の充電電圧を供給する。充電回路２９７が充電モードに入るとインジケータ２７７を点灯し、充電中であることを表示する。充電回路２９７は、充電池２８２を充電するため、定電流制御された電圧を出力するが、この際、充電池２８２に対し高圧となることから、ダイオード３０１を介し、充電を開始する。例えば、充電池２８２が過放電状態にある場合、充電回路２９７の充電電圧が引っ張られて低くなることから、充電回路２９７を保護として充電を停止する。
【００４２】
ダイオード３０１を介し電力が供給されるか、若しくは、充電池２８２により、ノックスイッチ２４３、第１のゲート回路２７１、第２のゲート回路２７２に電圧が印加された状態にある。この状態で、ノックスイッチ２４３を押下すると、第１のゲート回路２７１に電源オン要求信号が出力される。この信号を受けて、第１のゲート回路２７１は、論理和回路２７３に対し、「Ｈ」を出力する。論理和回路２７３は、「Ｈ」を次段のＤＣ−ＤＣコンバータ２７４に出力する。ＤＣ−ＤＣコンバータ２７４は、ロジック電圧ＶＤＤを出力する。これにより、ＣＰＵ２７５が起動し、第２のゲート回路２７２に対し、電源ロック信号を出力する。この信号を受けて、第２のゲート回路２７２は、論理回路２７３に対し、「Ｈ」を出力する。このとき、ノックスイッチ２４３の押下をやめても論理和回路２７３は「Ｈ」をＤＣ−ＤＣコンバータ２７４に出力しており、ＣＰＵ２７５が電源ロック信号を出力し続けるため、この状態が継続される。ＣＰＵ２７５は、充電状態を検出する検出回路２７６の出力を確認し、充電中である旨が検出されると、現行処理終了後、状態をホルト（halt）にする。これは充電電流が他の処理に使われて充電が不完全になることを防止するためである。ＣＰＵ２７５起動後にノックスイッチ２４３を押下すると、スイッチ押下検出信号が「Ｌ」となり、押下された旨の検出がなされる。これにより、モード選択等の入力をＣＰＵ２７５は検出することができる。第１のフォトセンサ２４１、第２のフォトセンサ２４２は、ノックダイヤル部２０２の回転検出信号を生成する。ＣＰＵ２７５は信号のシーケンスを判断して、右回転か左回転かを判定する。
【００４３】
尚、ＵＳＢコネクタ２９６は、外部充電器接続用コネクタであり、充電回路２９７に電力を供給する。
【００４４】
充電回路２９７は、ＵＳＢコネクタ２９６より入力電圧を受け、充電池２８２に充電電圧の電力を供給する。この電圧は、ダイオード３０１及び充電状態を検出する検出回路２７６にも供給される。
【００４５】
インジケータ２７７は、充電中で有ることを表示するものであり、インジケータ２７７への信号は、充電回路２９７より供給される。
【００４６】
充電池２８２は、例えば、リチウムイオン二次電池であり、充電時はダイオード３０１からの出力電圧により充電池２８２に充電電流が流れ込む。通常駆動時（放電時）では、次段のゲート回路、ヘッド、モータ等の電力を必要とする部品に直結される。
【００４７】
ダイオード３０１は、充電方向にのみ電流を流し、待機時は放電をカットする。
【００４８】
ノックスイッチ２４３は、充電池２８２の電源とグランドとの間に挿入され、第１のゲート回路２７１及びダイオード３０４を介してＣＰＵ２７５に接続される。第１のゲート回路２７１に対してはソースであり、ＣＰＵ２７５に対してはシンクである。ダイオード３０４は、ＣＰＵ２７５の電源ＶＤＤが断たれたとき、ラッチアップや誤動作を防止する。
【００４９】
第１のゲート回路２７１は、例えば、ＭＯＳ（Metal-Oxide-Semiconductor）トランジスタであり、電力は充電池２８２から供給され、ノックスイッチ２４３の押下により、論理和回路２７３に対し「Ｈ」を出力する。
【００５０】
第２のゲート回路２７２は、例えば、ＭＯＳトランジスタであり、電力は充電池２８２から供給され、ＣＰＵ２７５が起動した後、ＤＣ−ＤＣコンバータ２７４を起動状態にロックするＣＰＵ２７５からゲート方向の信号により、電源ロック信号「Ｈ」を論理和回路２７３に対し出力する。
【００５１】
論理和回路２７３は、第１のゲート回路２７１及び第２のゲート回路２７２の論理和をＤＣ−ＤＣコンバータ２７４に対して出力する。
【００５２】
ＤＣ−ＤＣコンバータ２７４は、論理和回路２７３からの信号を受けて、ＶＤＤを出力する。
【００５３】
検出回路２７６は、例えば、ＭＯＳトランジスタであり、電力はＶＤＤから供給され、充電回路２９７からの出力があることを検知し、充電状態をＣＰＵ２７５に通知する。
【００５４】
第１のフォトセンサ２４１、第２のフォトセンサ２４２は、ダイヤルが回転するとき、位相差信号を検出信号１、検出信号２として出力する。ＣＰＵ２７５は、この信号より右回転か左回転かを判断する。
【００５５】
即ち、図１５に示されているように、ノックスイッチ２４３を押下すると、ノックスイッチ２４３の図示下側の端子が接地される。これにより、ＣＰＵ２７５からノックスイッチ２４３に向けて信号が流れ、第１のゲート回路２７１のゲートが接地され第１のゲート回路２７１がオンになる。
【００５６】
電源ロック信号がオンになると、第２のゲート回路２７２のゲートに信号が入力し第２のゲート回路２７２がオンになり、論理和回路２７３の出力が「Ｈ」となり、ＤＣ−ＤＣコンバータ２７４がオンとなり、ＶＤＤが印加され、充電電圧が印加されることにより、検出回路２７６がオンとなり、充電検出信号がオンになる。
【００５７】
（電源オン）
プリンタ２００を充電池２８２により駆動するために、プリンタ２００の電源をオンにする場合について、図１６等に基づき説明する。プリンタ２００の電源をオンにするには、ダイヤルノブ２２０の外側よりノックスイッチ２４３が設けられている部分を所定の時間押す。この操作によって、ノックスイッチ２４３が長押しされる。
【００５８】
プリンタ２００の電源をオンにする過程について、図１６及び図１７に基づき説明する。図１７は充電池２８２により駆動されている状態のプリンタの回路を示す。実線は電流や信号が流れることを示し、点線は電流や信号が流れないことを示す。
【００５９】
Ｓ１０２においてノックスイッチ２４３が押下された場合には、Ｓ１０４に移行する。一方、ノックスイッチ２４３が押下されていない場合にはＳ１０２を繰り返す。尚、ノックスイッチ２４３には、プリンタ２００がオフの状態であっても充電池２８２から電圧が印加されている。
【００６０】
ノックスイッチ２４３が押下された場合は、ノックスイッチ２４３が押下されている期間中、電源オン要求信号がノックスイッチ２４３から第１のゲート回路２７１に出力される。電源オン要求信号が入力すると、Ｓ１０４において第１のゲート回路２７１から「Ｈ」レベルの信号が出力されるので、Ｓ１０６において論理和回路２７３に第１のゲート回路２７１からの出力「Ｈ」が入力し、論理和回路２７３の出力が「Ｈ」となる。
【００６１】
次に、Ｓ１０８において、論理和回路２７３からの出力「Ｈ」がＤＣ−ＤＣコンバータ２７４に入力することによりＤＣ−ＤＣコンバータ２７４が起動し、ＤＣ−ＤＣコンバータ２７４より電圧ＶＤＤが印刷機能部２１０に供給される。
【００６２】
ノックスイッチ２４３が押されている間はスイッチ押下検出信号"Ｌ"がＣＰＵに出力される（回路的にはシンク信号）ので、スイッチ押下検出信号に基づいて、Ｓ１０２で押下されてからのノックスイッチ２４３の押下時間が所定の時間以上経過した場合、ＣＰＵが安定起動状態に入る。短い場合、ＣＰＵは非起動でスイッチを離すとオフする。Ｓ１１０において、ノックスイッチ２４３の押下時間が所定の時間以上である場合にはＳ１１２に移行し、ノックスイッチ２４３の押下時間が所定の時間に満たない場合にはＳ１１４に移行する。
【００６３】
Ｓ１１２では、ＣＰＵ２７５が起動し、Ｓ１１６に移行する。
【００６４】
一方、Ｓ１１４では、ＤＣ−ＤＣコンバータ２７４を停止し、プリンタ２００の電源がオフとなり処理を終了する。
【００６５】
Ｓ１１２でＣＰＵ２７５を起動した後、Ｓ１１６において、ノックスイッチ２４３からＣＰＵ２７５に正常にノック入力信号が入力しているか否かを判断する。ノック入力信号はノックスイッチ２４３を押下すると生じる信号である。正常なノック入力信号の入力を判断するには、所定時間押下した後解除されたか否かを検出する事で行う。電源投入のためにノックスイッチ２４３が押下された場合、操作者は適当な時期に押下を止めることが期待される。一方、所定時間を超えてノック入力信号が解除されない場合には、スイッチが物で押下されている様な異常であると判断することができる。ＣＰＵ２７５に正常なノック入力信号が入力していると判断した場合にはＳ１１８に移行し、正常なノック入力信号が入力していないと判断された場合にはＳ１１４に移行する。
【００６６】
このように、Ｓ１１０でノックスイッチ２４３が長押しされていることをＣＰＵ２７５で検出することにより、プリンタ２００を操作しているオペレータの電源オン操作意志を確認することができ、誤ってプリンタ２００の電源がオンになることを防いでいる。
【００６７】
次に、電源オン要求を受けつけて、Ｓ１１８において、ＣＰＵ２７５から第２のゲート回路２７２に対しＤＣ−ＤＣコンバータ２７４の出力を保持するための電源ロック信号「Ｈ」を出力する。具体的には、所定時間長押しするのが電源オン要求なので起動され、ＣＰＵが所定期間でスイッチが離れた事で判断される。
【００６８】
次に、Ｓ１２０において、ＤＣ−ＤＣコンバータ２７４の動作がロックされる。具体的には、ＣＰＵ２７５より出力された電源ロック信号「Ｈ」が第２のゲート回路２７２に入力すると、第２のゲート回路２７２の出力が「Ｈ」となり論理和回路２７３に入力する。電源ロック信号はノックスイッチ２４３がオフとなってもＣＰＵ２７５から継続して出力されるため、ノックスイッチ２４３を押している指を離しても論理和回路２７３からの出力が「Ｈ」レベルに維持される。これにより、論理和回路２７３からの出力「Ｈ」が入力しているＤＣ−ＤＣコンバータ２７４の動作がロックされ、印刷機能部２１０や、第１のフォトセンサ２４１、第２のフォトセンサ２４２への電力供給が継続される。
【００６９】
次に、Ｓ１２２においてインジケータ２７７が複数回点滅する。インジケータ２７７が点滅することにより、オペレータにプリンタ２００の電源がオンになったことを知らせることができる。
【００７０】
以上により、プリンタ２００の電源をオンにすることができ、充電池２８２によりプリンタ２００を駆動することができる。尚、インジケータの点滅パターンは個別仕様による。
【００７１】
尚、本実施の形態においては、充電池２８２と充電回路２９７との間にダイオード３０１が設けられている。ダイオード３０１は、アノードが充電回路２９７に、カソードが充電池２８２に接続されている。従って、充電回路２９７から充電池２８２には電流は流れるが、充電池２８２から充電回路２９７には電流は流れない。よって、図１７に示されるように、充電池２８２によりプリンタ２００を駆動している状態で、充電池２８２から充電回路２９７に電流が流れることはない。
【００７２】
次に、図１８に基づき、充電池２８２の充電について説明する。充電池２８２を充電する場合には、充電部２９０のＵＳＢコネクタ２９６に、外部より不図示のバッテリチャージャーの出力となるＵＳＢ端子を接続する。バッテリチャージャーは、商用電源より入力する交流を所定電圧の直流に変換する。
【００７３】
ＵＳＢコネクタ２９６にバッテリチャージャーのＵＳＢ端子が接続されると、バッテリチャージャーより供給された電力により充電回路２９７が起動し、充電回路２９７よりダイオード３０１を介して充電池２８２に電力が供給され、充電池２８２の充電が開始する。充電回路２９７の出力は充電状態を検出する検出回路２７６にも入力する。検出回路２７６の出力はＣＰＵ２７５に入力する。ＣＰＵ２７５は、検出回路２７６の出力に応じて充電が行われていることを認識できる。
【００７４】
充電検出信号は、プリンタが起動、動作中にあっては、進行中の処理を終了した後、電源オフを実行したり、動作中になければ速やかに電源オフを実行するために使用される。充電中に、その他の機能が動作する場合、充電電流を消費する。充電回路は、電池の充電及びその他の消費電流の総和のみ検出可能であるので、実際の充電電流は、動作モードに依存して大きく変動することになる。このことは不完全な充電となる場合があり、操作者が充電したと認識している状況で、実際には殆ど充電はなされていないといったことを回避するためである。
【００７５】
また、動作中に、ＣＰＵ２７５は、充電器が接続されたことを充電検出信号により検出することができ、現行の必要処理を終了した後、ＤＣ−ＤＣコンバータ２７４をオフにし、充電電流をすべて充電池２８２の充電にまわすことで、上記のような障害を避けることが可能となる。
【００７６】
ＣＰＵ２７５は、充電時にプリンタ２００の電源がオンとなっている場合には、現行処理終了後電源をオフにするために、第２のゲート回路２７２にロック解除の信号、即ち電源ロック信号「Ｌ」を出力する。第２のゲート回路２７２に電源ロック信号「Ｌ」が入力すると、第２のゲート回路２７２の出力が「Ｌ」となる。ノックスイッチ２４３が押下されていない場合には第１のゲート回路２７１の出力も「Ｌ」となるため、第１のゲート回路２７１の出力「Ｌ」と第２のゲート回路２７２の出力「Ｌ」が入力している論理和回路２７３の出力が「Ｌ」となる。これにより、論理和回路２７３の出力「Ｌ」が入力しているＤＣ−ＤＣコンバータ２７４が停止し、プリンタ２００の電源はオフとなる。
【００７７】
本実施の形態は、以下の特徴を有している。
【００７８】
回路の構成がシンプルで部品が少ない。半導体スイッチ等がないため不要なインピーダンス成分が入らない。プリンタ２００の動作中に誤ってバッテリチャージャーが接続された場合であっても、充電状態の検出信号をＣＰＵ２７５が検出し、実行中の処理を終了した後、アラームを返すようなインタラクティブ処理が可能である。充電を目的としない使い方をしたい場合、アプリを起動し確認を行った上で、電源ロックしてアプリを実行し、終了後アプリからの電源遮断要求を受けて、遮断実行に入ることが可能である。尚、「充電を目的としない使い方」としては、具体的には、バッテリチャージャーを通常動作時のプリンタへの給電に使用することが想定される。
【００７９】
実行中の処理によっては、登録情報のダウンロードや、登録情報のホストへの送信等メンテナンスに係わる時間を要求する処理が重なる場合がある。この場合には、充電よりも登録等の処理を優先するか、処理を中断する等の判断が含まれる。途中で中断する場合には、この情報をホストに通知する必要がある。このように、処理に応じたアラームを返すような処理が必要となる。尚、基本的には、印字処理の場合には印字の完了をもって電源遮断され、非印字処理の場合には、処理内容によって中断する場合がある。
【００８０】
また、長時間に渡るＢＬＥ通信等では、電池駆動では寿命が問題となることから、ＡＣアダプター駆動が必要となる。アプリによってＡＣアダプター駆動が必要となるセンサ機能時等は、アプリによって電源をロックしたり、高電圧のＡＣアダプターを用いて高速印字を行う場合には、ＡＣアダプターモードに固定する。電源は、ダイオード３０１を介してヘッド、モータに供給され、給電圧は印刷機能部２１０内に設けられた電圧検出機能によって検出することができる。
【００８１】
〔第２の実施の形態〕
次に、第２の実施の形態によるプリンタについて説明する。
【００８２】
本実施の形態によるプリンタの機能ブロックを図１９に基づき説明する。電源部２８０の内部には充電池２８２が入れられている。充電部２９０には、ＵＳＢコネクタ２９６、充電回路２９７、インジケータ２７７、設定回路３１０、スイッチ３２０、第１のスイッチ回路３３１が設けられている。また、印刷機能部２１０には、プリンタ２００を駆動する不図示のドライバ回路、制御部となるＣＰＵ２７５が設けられている。
【００８３】
設定回路３１０は、充電回路２９７が充電電圧を出すときに、第１のスイッチ回路をオープンに設定する。スイッチ３２０は、長期保存の状態にあって、第１のスイッチ回路３３１をハードウェア的にオープンに設定する。設定回路３１０は、充電池２８２のフィードバック電圧と充電回路２９７の出力信号を入力とし、フィードバック電圧は制限抵抗を介して、第１のスイッチ回路３３１のＬＥＤのアノード端子に接続される。設定回路３１０の出力はＭＯＳトランジスタ等のスイッチ素子のゲートに入力され、スイッチ素子の出力が、制限抵抗と第１のスイッチ回路３３１への入力の接合部に接続され、設定回路３１０の出力電圧により、第１のスイッチ回路３３１の入力電圧を「Ｈ」、「Ｌ」に設定する。
【００８４】
ノックダイヤル部２０２には、第１のフォトセンサ２４１、第２のフォトセンサ２４２、ノックスイッチ２４３、第１のゲート回路２７１、第２のゲート回路２７２、論理和回路２７３、ＤＣ−ＤＣコンバータ２７４、ダイオード３０２、第２のスイッチ回路３３２が設けられている。
【００８５】
第１のスイッチ回路３３１及び第２のスイッチ回路３３２は、ＬＥＤ（Light Emitting Diode）、光電素子、ＭＯＳＦＥＴ（Metal-Oxide-Semiconductor Field Effect Transistor）を備え、ＬＥＤが発した光を光電素子が受光することによりオンオフが制御されるフォトＭＯＳスイッチにより形成されている。ＬＥＤに順方向の電流が流れるとＬＥＤが発光する。第１のスイッチ回路３３１及び第２のスイッチ回路３３２は、ノーマルオープンのものである。抵抗３３３は第２のスイッチ回路３３２のＬＥＤに対するバイアス抵抗である。
【００８６】
第１のスイッチ回路３３１は、設定回路３１０からの信号のオン／オフでオン／オフする。第１のスイッチ回路３３１において、設定回路３１０側端子を１、スイッチ３２０側端子を２、第１のスイッチ回路３３１の図示上側の端子を３、下側の端子を４とした場合、１と２との間にＬＥＤ配置される。設定回路３１０から電圧印加で、第１のスイッチ回路３３１内部のＬＥＤが発光し、第１のスイッチ回路３３１内部のフォトＭＯＳスイッチがオンとなり、３と４が導通する。
【００８７】
スイッチ３２０がオフでは、第１のスイッチ回路３３１内部のＬＥＤに電流が流れないため、ＬＥＤがオフとなり、第１のスイッチ回路３３１内部のフォトＭＯＳスイッチがオフとなり、３と４が非導通となる。
【００８８】
第２のスイッチ回路３３２において、図示左上側の端子を１、左下側の端子を２、右上側の端子を３、右下側の端子を４とし、ＬＥＤの配置は第１のスイッチ回路３３１と同様であるものとする。
【００８９】
１から電圧印加すると、第２のスイッチ回路３３２内部のＬＥＤが発光し、第２のスイッチ回路３３２内部のフォトＭＯＳスイッチがオンとなり、３と４が導通する。
【００９０】
１からの電圧印加停止すると、第２のスイッチ回路３３２内部のＬＥＤがオフとなり、第２のスイッチ回路３３２内部のフォトＭＯＳスイッチがオフとなり、３と４とが非導通になる。
【００９１】
充電池２８２より駆動されているプリンタを図２０に基づき説明する。プリンタが充電池２８２より駆動されている場合には、充電池２８２の電力はノックダイヤル部２０２及び印刷機能部２１０に供給されるとともに、充電部２９０にも供給されている。図２０では、設定回路３１０に充電池２８２から電力が供給されており、スイッチ３２０は閉じられている。充電池２８２から電力が供給されている設定回路３１０は第１のスイッチ回路３３１をオンにするための信号を第１のスイッチ回路３３１に出力する。この信号は、スイッチ３２０が閉じて回路を形成することから設定回路３１０→第１のスイッチ回路３３１内のＬＥＤ→スイッチ３２０の経路を電流が流れ、ＬＥＤが発光し、第１のスイッチ回路３３１がオンとなる。
【００９２】
ノックダイヤル部２０２に設けられている第２のスイッチ回路３３２は、ダイオード３０２と並列に接続されている。図２０の状態では充電池２８２から第２のスイッチ回路３３２に順方向の電圧が印加する。第１のスイッチ回路３３１がオンとなっているため、第２のスイッチ回路３３２内のＬＥＤに電流が流れて第２のスイッチ回路３３２がオンとなり、印刷機能部２１０へ電力が供給される。一方、ダイオード３０２には逆方向に電圧が印加するため、充電池からの電流はダイオード３０２には流れない。
【００９３】
第２のスイッチ回路３３２の機能は、以下で説明するが、充電時に電圧がダイオード３０２の順方向にかかり、ダイオード３０２を通して充電池２８２を充電することになるが、このとき、ノックスイッチ２４３以降の回路に逆バイアスが印加されることになるため、回路をカットする目的で設けられている。
【００９４】
次に、図２１に基づき、充電池２８２への充電について説明する。充電池２８２を充電する場合には、ＵＳＢコネクタ２９６に、不図示のバッテリチャージャーのＵＳＢ端子を接続する。
【００９５】
ＵＳＢコネクタ２９６にＵＳＢ端子が接続されると、バッテリチャージャーより供給された電力により充電回路２９７が起動する。この場合、ダイオード３０２に順方向の電圧が印加するので、充電回路２９７よりダイオード３０２を介し充電池２８２に電力が供給され、充電池２８２の充電が開始する。
【００９６】
充電池２８２からの電力は設定回路３１０に供給されるが、充電回路２９７の出力も設定回路３１０にも入力する。充電回路２９７の出力が設定回路３１０に入力する状態では、設定回路３１０は第１のスイッチ回路３３１をオフにするよう制御し、第１のスイッチ回路３３１は開いており充電回路２９７の出力信号の短絡を防止している。
【００９７】
また、充電池２８２を充電する際には、第２のスイッチ回路３３２には逆方向に電圧が印加し、また第１のスイッチ回路３３１がオフとなっているため、第２のスイッチ回路３３２内のＬＥＤは発光せず、第２のスイッチ回路３３２が開いたままとなり、ノックダイヤル部２０２及び印刷機能部２１０には電力は供給されない。
【００９８】
尚、長期間プリンタを使用しない場合には、図２２に示すように、スイッチ３２０をオフにする。これにより、第１のスイッチ回路３３１内のＬＥＤに電流が流れなくなるため、第１のスイッチ回路３３１が開いたままの状態となる。この場合、第２のスイッチ回路３３２内のＬＥＤにも電流が流れずに第２のスイッチ回路３３２がオフとなり、印刷機能部２１０への電力供給がされなくなるため、充電池２８２に充電されている電力を長期間保つことが可能となる。
【００９９】
本実施の形態は、以下の特徴を有している。
【０１００】
充電池２８２による駆動と充電とをスイッチ回路のオンオフによってハードウェア的に切り替える構成であるため、ＣＰＵ２７５や検出回路を用いることなく充電池２８２による駆動と充電とを切り替えることができる。スイッチ３２０による設定により、長期間使用しない場合に充電池２８２の電力消費を抑制することができる。この場合は、第１のスイッチ回路３３１、第２のスイッチ回路３３２ともにオンとならないため、ノックスイッチ２４３を押下しても電源起動しない。ノックスイッチ２４３を押しても電源が起動しないのは、ノックスイッチ回路以降での電力供給回路がカットされ、ハードウェア的に切り離されるからである。
【０１０１】
即ち、充電時では、設定回路３１０からの信号オフになると、３と４とが非導通となり、図２１の経路で電流が流れる。
【０１０２】
また、電池駆動時では、第２のスイッチ回路３３２がオンとなると、充電池２８２の出力がフィードバックされ、第１のスイッチ回路３３１がオンとなり、回路が形成され、第２のスイッチ回路３３２の出力が導通する。
【０１０３】
また、設定回路３１０からの信号がオンになると、第１のスイッチ回路３３１がオンとなり、第１のスイッチ回路３３１の３と４とが導通し、図１９の経路で電流が供給される。
【０１０４】
また、長期間非使用時では、スイッチ３２０がオフとなり、第１のスイッチ回路３３１がオフとなり、第２のスイッチ回路３３２に電流が流れず第２のスイッチ回路３３２がオフとなり、図２２の経路で電流が流れる。
【０１０５】
尚、上記以外の内容については、第１の実施の形態と同様である。
【０１０６】
〔第３の実施の形態〕
次に、第３の実施の形態におけるプリンタについて説明する。
【０１０７】
本実施の形態によるプリンタの機能ブロックを図２３に基づき説明する。電源部２８０には充電池２８２が入れられており、充電部２９０には、ＵＳＢコネクタ２９６、充電回路２９７、インジケータ２７７、設定回路３１０、スイッチ３２０、第１のスイッチ回路３３１、充電池３５０、ダイオード３０６が設けられている。
【０１０８】
印刷機能部２１０には、プリンタ２００の全体を駆動する不図示のドライバ回路、制御部となるＣＰＵ２７５が設けられている。
【０１０９】
ノックダイヤル部２０２には、第１のフォトセンサ２４１、第２のフォトセンサ２４２、ノックスイッチ２４３、第１のゲート回路２７１、第２のゲート回路２７２、論理和回路２７３、ＤＣ−ＤＣコンバータ２７４、ダイオード３０２、第２のスイッチ回路３３２が設けられている。
【０１１０】
本実施の形態では、充電池３５０より設定回路３１０に電力が供給されている。充電池３５０は、図２４に示されるように充電部２９０の端部に設けてもよい。充電池３５０としては、ピン型の超小型リチウムイオン電池等を用いることができる。
【０１１１】
充電池２８２より駆動されているプリンタについて、図２５に基づき説明する。プリンタが充電池２８２より駆動されている図２５では、スイッチ３２０は閉じられており、設定回路３１０による第１のスイッチ回路３３１をオンにする制御により、第１のスイッチ回路３３１は閉じられている。また、第２のスイッチ回路３３２には充電池から電力が供給されているため、第２のスイッチ回路３３２内のＬＥＤが発光し、第２のスイッチ回路３３２は閉じられる。このため、充電池２８２の電力は、ノックダイヤル部２０２及び印刷機能部２１０に供給される。
【０１１２】
即ち、充電池３５０により、設定回路３１０に電圧印加され、第１のスイッチ回路３３１のＬＥＤのアノード側に「Ｈ」が印加されるが、スイッチ３２０がクローズしていることで、順方向に電流が流れ、第１のスイッチ回路３３１の出力側のフォトＭＯＳスイッチをオンし短絡することで、第１のスイッチ回路３３１は閉じられている。
【０１１３】
次に、図２６に基づき、充電池２８２への充電について説明する。充電池２８２に充電する場合には、ＵＳＢコネクタ２９６に、不図示のバッテリチャージャーのＵＳＢ端子を接続する。
【０１１４】
ＵＳＢコネクタ２９６にＵＳＢ端子が接続されると、バッテリチャージャーより供給された電力により充電回路２９７が起動し、充電回路２９７よりダイオード３０２を介し充電池２８２に電力が供給され、充電池２８２の充電が開始する。充電回路２９７の出力が入力している設定回路３１０は第１のスイッチ回路３３１をオフにするよう制御し、第１のスイッチ回路３３１は開いている。
【０１１５】
本実施の形態においては、図２６に示されるように充電池２８２を充電する際には、図２５に示される充電池２８２による駆動の場合とは逆方向に電流が流れるために第２のスイッチ回路３３２はＬＥＤが逆バイアスされ出力がオフ（オープン）となり、ノックダイヤル部２０２及び印刷機能部２１０には電力は供給されない。尚、充電池３５０についても、充電池２８２と同様に充電することができる。
【０１１６】
尚、長期間プリンタを使用しない場合には、図２７に示すようにスイッチ３２０を開きオフにする。これにより、第１のスイッチ回路３３１がオンとはならずに電流が流れなくなり、また第２のスイッチ回路３３２もオンにはならない。このため、印刷機能部への給電が行われなくなり、充電池２８２の電力が消耗することがなくなる。
【０１１７】
本実施の形態は、以下の特徴を有している。
【０１１８】
設定回路３１０の電力供給を充電池３５０で行うことにより充電内部配線２８５が不要となる。充電池２８２による駆動と充電とをスイッチ回路のオンオフによってハード的に切り替える構成であるため、ＣＰＵ２７５や検出回路を用いることなく、充電池２８２による駆動と充電とを切り替えることができる。スイッチ３２０による設定により、長期間使用しない場合に充電池２８２の電力消費を抑制でき、また、この場合にノックスイッチ２４３を押下しても電源起動しない。
【０１１９】
尚、上記以外の内容については、第２の実施の形態と同様である。
【０１２０】
以上、本発明の実施に係る形態について説明したが、上記内容は、発明の内容を限定するものではない。
【符号の説明】
【０１２１】
２００      プリンタ
２０２      ノックダイヤル部
２１０      印刷機能部
２２０      ダイヤルノブ
２４３      ノックスイッチ
２５５      ノックダイヤルベース
２８０      電源部
２８２      充電池
２８５      充電内部配線
２９０      充電部
２９６      ＵＳＢコネクタ
２９７      充電回路
３０１、３０２      ダイオード
３３１      第１のスイッチ回路
３３２      第２のスイッチ回路
【図１】
2019130907.tif 000003
【図２】
2019130907.tif 000004
【図３】
2019130907.tif 000005
【図４】
2019130907.tif 000006
【図５】
2019130907.tif 000007
【図６】
2019130907.tif 000008
【図７】
2019130907.tif 000009
【図８】
2019130907.tif 000010
【図９】
2019130907.tif 000011
【図１０】
2019130907.tif 000012
【図１１】
2019130907.tif 000013
【図１２】
2019130907.tif 000014
【図１３】
2019130907.tif 000015
【図１４】
2019130907.tif 000016
【図１５】
2019130907.tif 000017
【図１６】
2019130907.tif 000018
【図１７】
2019130907.tif 000019
【図１８】
2019130907.tif 000020
【図１９】
2019130907.tif 000021
【図２０】
2019130907.tif 000022
【図２１】
2019130907.tif 000023
【図２２】
2019130907.tif 000024
【図２３】
2019130907.tif 000025
【図２４】
2019130907.tif 000026
【図２５】
2019130907.tif 000027
【図２６】
2019130907.tif 000028
【図２７】
2019130907.tif 000029